(57)【要約】【課題】外壁とサッシ枠との隙間における高い水密性を確保することが可能なサッシ枠等を提供する。【解決手段】一対の縦枠と、前記縦枠の側部に両端が当接される一対の横枠と、前記縦枠の上下端のうちの少なくとも一方に設けられたキャップと、を備えたサッシ枠であって、前記キャップ及び前記横枠は、外壁との間に設けられる水密部材を、前記キャップから前記横枠に跨って取り付けるための水密部材取付部を有する。【選択図】図２
2009243137.tif 000002
【特許請求の範囲】
【請求項１】
一対の縦枠と、
前記縦枠の側部に両端が当接される一対の横枠と、
前記縦枠の上下端のうちの少なくとも一方に設けられるキャップと、
を備えたサッシ枠であって、
前記キャップ及び前記横枠は、外壁との間に設けられる水密部材を、前記キャップから前記横枠に跨って取り付けるための水密部材取付部を有することを特徴とするサッシ枠。
【請求項２】
請求項１に記載のサッシ枠であって、
前記キャップまたは前記横枠の少なくとも一方は、前記外壁が当接される外壁当接部を有することを特徴とするサッシ枠。
【請求項３】
請求項１または請求項２に記載のサッシ枠であって、
前記キャップが有する前記水密部材取付部と前記横枠が有する前記水密部材取付部とは、連続する平面を形成することを特徴とするサッシ枠。
【請求項４】
請求項１乃至請求項３のいずれかに記載のサッシ枠であって、
前記水密部材取付部は、当該水密部材取付部に取り付けられた前記水密部材が、前記外壁の屋外側の表面より屋内側に配置されていることを特徴とするサッシ枠。
【請求項５】
請求項１乃至請求項４のいずれかに記載のサッシ枠であって、
前記キャップ及び前記横枠は、前記取り付けられた水密部材と屋外側の空間との間に位置する中間部を有することを特徴とするサッシ枠。
【請求項６】
請求項５に記載のサッシ枠であって、
前記中間部の上下方向における端が前記外壁当接部であることを特徴とするサッシ枠。
【請求項７】
請求項１乃至請求項６のいずれかに記載のサッシ枠と、前記サッシ枠に保持される障子と、を有することを特徴とする建具。
【発明の詳細な説明】
【技術分野】
【０００１】
本発明は、一対の縦枠及び一対の横枠を備えたサッシ枠及び建具に関する。
【背景技術】
【０００２】
一対の縦枠及び一対の横枠を備えたサッシ枠及び建具としては、例えば、同一型材からなる上下枠及び左右縦枠をビス及び連結具にて矩形状に枠組みしたサッシが知られている（例えば、特許文献１参照）。このようなサッシは、上下枠及び左右縦枠が鉄骨等の躯体に取り付けられる。そして、タイルやパネルなどの外壁と上下枠及び左右縦枠との隙間は、バックアップ材を充填した上で、コーキング等のシーリング材によりシールされている。
【特許文献１】特開２００５−３００１５号公報
【発明の開示】
【発明が解決しようとする課題】
【０００３】
しかしながら、外壁とサッシ枠との隙間をシーリング材でシールする場合には、シーリング材のみならずバックアップ材をも充填しなければならない。このとき、バックアップ材及びシーリング材の充填状態は外部から確認することはできないが、シーリング材を隙間なく且つ十分に充填しなければ高い水密性が確保できないという課題がある。
【０００４】
本発明は、かかる課題に鑑みてなされたものであり、その目的とするところは、外壁とサッシ枠との隙間における高い水密性を確保することが可能なサッシ枠及び建具を提供することにある。
【課題を解決するための手段】
【０００５】
かかる目的を達成するために本発明のサッシ枠は、一対の縦枠と、前記縦枠の側部に両端が当接される一対の横枠と、前記縦枠の上下端のうちの少なくとも一方に設けられるキャップと、を備えたサッシ枠であって、前記キャップ及び前記横枠は、外壁との間に設けられる水密部材を、前記キャップから前記横枠に跨って取り付けるための水密部材取付部を有することを特徴とするサッシ枠である。  
このようなサッシ枠によれば、外壁とキャップ及び横枠との間に設けられる水密部材が、キャップから横枠に跨って取り付けられるので、キャップと横枠との間からの水等の進入を防止することが可能である。このため、外壁とサッシ枠との隙間における高い水密性を確保することが可能である。
【０００６】
かかるサッシ枠であって、前記キャップまたは前記横枠の少なくとも一方は、前記外壁が当接される外壁当接部を有することが望ましい。  
このようなサッシ枠によれば、キャップまたは横枠の少なくとも一方の外壁当接部に当接された外壁と、キャップまたは横枠との隙間からの水等の浸入を抑えることが可能である。
【０００７】
かかるサッシ枠であって、前記キャップが有する前記水密部材取付部と前記横枠が有する前記水密部材取付部とは、連続する平面を形成することが望ましい。  
このようなサッシ枠によれば、水密部材が跨って取り付けられるキャップの水密部材取付部と横枠の水密部材取付部とは連続する平面を形成するので、水密部材が屈曲されることなく平坦に設けられる。このため、高い水密性を確保することが可能である。
【０００８】
かかるサッシ枠であって、前記水密部材取付部は、当該水密部材取付部に取り付けられた前記水密部材が、前記外壁の屋外側の表面より屋内側に配置されていることが望ましい。  
このようなサッシ枠によれば、水密部材取付部に取り付けられた水密部材は、外壁の屋外側の表面より屋内側に位置するので、例えば、外壁の屋外側の表面に沿ってほぼ真下に流れ落ちる水等とは接触し難い。このため、屋内側に浸入する水と主に接触するだけなので、水密部材の劣化を抑えることが可能である。
【０００９】
かかるサッシ枠であって、前記キャップ及び前記横枠は、前記取り付けられた水密部材と屋外側の空間との間に位置する中間部を有することが望ましい。  
このようなサッシ枠によれば、取り付けられた水密部材と屋外側の空間との間にキャップ及び横枠に設けられた中間部が存在するので、外壁より内側に進入する水が水密部材に接触しないように、中間部にて遮ることが可能である。このため、水密部材の劣化を抑えることが可能である。また、中間部が水密部材の屋外側に位置するので、日光も遮られるので、水密部材の劣化をより抑えることが可能である。
【００１０】
かかるサッシ枠であって、前記中間部の上下方向における端が前記外壁当接部であることが望ましい。  
このようなサッシ枠によれば、外壁当接部である、中間部の上下方向における端には外壁が当接され、中間部の内側に水密部材が配置されるので、中間部が水密部材と屋外側の空間との間の仕切りとなる。このため、外壁側から屋内側に水等が浸入し難くなり水密性が向上すると共に、水密部材の劣化を抑えることが可能である。
【００１１】
また、かかるサッシ枠と、前記サッシ枠に保持される障子とを有することを特徴とする建具である。  
このような建具によれば、キャップまたは横枠に備えられた外壁当接部に当接された外壁は、サッシ枠のキャップ及び横枠が有する水密部材取付部に取り付けられた水密部材にも当接される。このため、外壁とキャップ及び横枠、すなわちサッシ枠との隙間に水密部材が設けられるので、外壁の壁面側から内部、例えば躯体側に雨水等の水が進入することを防止することが可能である。特に、水密部材は、キャップから横枠に跨って取り付けられるので、キャップと横枠との間からの水等の進入を防止することが可能である。このため、外壁とサッシ枠との隙間における高い水密性を確保することが可能な建具を提供することが可能である。
【発明の効果】
【００１２】
本発明によれば、外壁とサッシ枠との隙間における高い水密性を確保することが可能なサッシ枠及び建具を提供することが可能である。
【発明を実施するための最良の形態】
【００１３】
以下、本発明の一実施形態に係るサッシ枠及び建具について図を参照して説明する。  
本実施形態に係る建具１０は、屋内外を連通する窓であり、図１、図２に示すように躯体１に固定されたサッシ枠２０と、サッシ枠２０に開閉自在に支持された障子３０とを有している。また、サッシ枠２０の周囲には外壁３が備えられている。本実施形態における外壁３は、外壁表面材３ａと、外壁表面材３ａの屋外側に設けられた胴縁３ｂとを有している。
【００１４】
以下の説明では、建具１０を屋外側から見たときに上下となる方向を上下方向、左右となる方向を左右方向または見付け方向、屋内外方向である奥行き方向を見込み方向として示す。
【００１５】
サッシ枠２０は、互いに同一の押出型材でなる一対の縦枠２１と、互いに同一の押出型材でなる一対の横枠２５とを有している。一対の縦枠２１は、左右が反転するように対向されて、見付け方向に間隔を隔てて配置されている。縦枠２１は、図３に示すように屋外側に位置して上下端が開放された中空部２１ｃを有する屋外側縦枠部２１ａと、屋内側に位置して内壁材５に固定される屋内側縦枠部２１ｂとを有している。
【００１６】
屋外側縦枠部２１ａは水平断面がほぼ矩形状をなす中空部２１ｃの見込み方向の幅が外壁３の厚さとほぼ同じに形成されており、中空部２１ｃを構成する屋内側の部位２１ｄが躯体１にねじ止めされる。
【００１７】
屋内側縦枠部２１ｂは、中空部２１ｃを構成する、窓の中央側に位置する部位、すなわち、左側の縦枠２１は中空部２１ｃの右端の部位２１ｅが、右側の縦枠２１は中空部２１ｃの左端の部位２１ｆが屋内方向に延出されて、障子３０がシール材４を介して当接される框当接部２１ｇと、内壁材５の端部を覆う部位２１ｈとを有している。
【００１８】
縦枠２１には、上下の端に設けられ、中空部２１ｃを覆って閉塞するためのキャップ５０が嵌合される。ここでは、キャップ５０が縦枠２１の上端に嵌合された状態を例に、キャップ５０の構成を説明する。
【００１９】
キャップ５０は、下側の約半分の部位であって縦枠２１の中空部２１ｃに嵌合される嵌合部５９と、嵌合された状態で縦枠２１の外側に突出するキャップ本体５１とを有する樹脂製の部材である。キャップ本体５１は、中空部２１ｃの内径より僅かに大きく形成されており、嵌合部５９が縦枠２１に嵌合された際に縦枠２１の肉厚部分を覆うように、外形が嵌合部５９より僅かに大きく形成されている。
【００２０】
また、キャップ５０は、嵌合部５９が縦枠２１に嵌合された際にキャップ本体５１の屋外側に位置する約半分の領域が、屋内側の約半分の領域より高く突出するような段状に形成されている。以下の説明では、キャップ本体５１の屋外側にて、屋内側より突出している部分を屋外側突出部５２、屋内側の部分を屋内側凹設部５３という。屋外側突出部５２と屋内側凹設部５３とは、いずれも上面が水平な平坦面に形成されており、屋外側突出部５２の上面は、外壁３の縁部が当接される外壁当接部５２ａであり、屋内側凹設部５３の上面は、後述する水密部材６０が取り付けられる水密部材取付部５３ａである。
【００２１】
また、屋外側突出部５２であって水密部材取付部５３ａより上側の部位は、水密部材取付部５３ａに水密部材６０が取り付けられた際に水密部材６０と屋外側空間との間に位置する中間部としてのキャップ側中間部５２ｂである。左右の縦枠２１の上下の端に嵌合されるキャップ５０は、同一の部材であり縦枠２１の下端に嵌合された際には、上下が反転した状態となる。
【００２２】
一対の横枠２５は、図４に示すように屋外側に位置して左右端が開放された中空部２５ｃを有する屋外側横枠部２５ａと、屋内側に位置して内壁材５に固定される屋内側横枠部２５ｂとを有している。屋外側横枠部２５ａは中空部２５ｃを構成する屋内側の部位２５ｋが躯体１にねじ止めされる。また、屋外側横枠部２５ａの外周側、すなわち、上側の横枠２５の中空部２５ｃの上面２５ｄ側と、下側の横枠２５の中空部２５ｃの下面２５ｅ側とには、それぞれ外壁３が当接される外壁当接部２５ｆと、水密部材６０を取り付けるための水密部材取付部２５ｇと、取り付けられた水密部材６０と屋外側空間との間に位置する中間部としての横枠側中間部２５ｈとが設けられている。
【００２３】
具体的には、例えば上側の横枠２５にて説明すると、中空部２５ｃの上面２５ｄには、中空部２５ｃの屋内側の端部近傍から上方に立ち上がった鉛直部２５ｉと、鉛直部２５ｉの上端に設けられ中空部２５ｃの上面２５ｄと同様にほぼ水平をなす水平板部２５ｊと、当接される外壁３の厚さのほぼ半分の位置にて水平板部２５ｊの屋外側の端が上方に立ち上がった状態の横枠側中間部２５ｈとを有している。ここで、水平板部２５ｊの中空部２５ｃとは反対側の面が、水密部材６０が取り付けられる水密部材取付部２５ｇであり、横枠側中間部２５ｈの先端(上端)が、外壁３が当接される外壁当接部２５ｆである。
【００２４】
横枠２５は、両端部が縦枠２１の上端部及び下端部の側面にシール材（不図示）を介して当接され、縦枠２１とねじにて固定され矩形状のサッシ枠２０となる。矩形状に組まれたサッシ枠２０にキャップ５０が嵌合された際に、キャップ５０の水密部材取付部５３ａと、横枠２５の水密部材取付部２５ｇとが連続した平面を形成し、キャップ５０の外壁当接部５２ａと横枠２５の外壁当接部２５ｆとがほぼ同じ高さになるように形成されている。
【００２５】
また、キャップ５０の水密部材取付部５３ａと横枠２５の水密部材取付部２５ｇとはいずれも、外壁３の屋外側の表面に沿う方向において、キャップ５０または横枠２５に外壁が当接される位置としての外壁当接部２５ｆ、５２ａより外壁３とは反対側に離れた位置に設けられている。このため、キャップ５０の外壁当接部５２ａまたは横枠２５の外壁当接部２５ｆに外壁３が当接された際には、外壁３の端とキャップ５０の水密部材取付部５３ａ及び横枠２５の水密部材取付部２５ｇとの間に水密部材６０を備えることが可能である。
【００２６】
水密部材６０は、矩形状に形成されたサッシ枠２０の左側の縦枠２１が有する中空部２１ｃの左側縁から右側の縦枠２１が有する中空部２１ｃの右側縁までの全域に亘る長さと、外壁３の厚さのほぼ半分の幅と、キャップ５０の水密部材取付部５３ａと外壁当接部５２ａとの間隔、すなわち、横枠２５の横枠側中間部２５ｈの立ち上がり高さの約２倍の厚みを有し、弾性を有する例えばウレタンやゴムなどの樹脂製の部材である。
【００２７】
本実施形態の建具１０は、一対の縦枠２１と一対の横枠２５とが矩形状に接合され、縦枠２１の上下端部にキャップ５０がそれぞれ嵌合されてサッシ枠２０が形成される。形成されたサッシ枠２０には、上側の外周部と下側の外周部とに水密部材６０が取り付けられる。このとき、キャップ５０の水密部材取付部５３ａと横枠２５の水密部材取付部２５ｇとにて形成されている連続する平面に、キャップ５０から横枠２５に跨って水密部材６０が、例えば両面テープにて取り付けられる。水密部材６０は、上下の外周部に取り付けられた状態で、キャップ５０の外壁当接部５２ａ及び横枠２５の外壁当接部２５ｆより外側に突出している。
【００２８】
上下の外周部に水密部材６０が取り付けられたサッシ枠２０は、躯体１にねじ止めされる。そして、建具１０の上側に配置される外壁３が、上方から上側のキャップ５０及び横枠２５の外壁当接部５２ａ、２５ｆに当接されるとともに、水密部材６０が外壁３とキャップ５０の水密部材取付部５３ａ及び横枠２５の水密部材取付部２５ｇとの間で圧縮される。また、建具１０の下側に配置される外壁３は、下方から下側のキャップ５０及び横枠２５の外壁当接部５２ａ、２５ｆに当接されるとともに、水密部材６０が外壁３とキャップ５０の水密部材取付部５３ａ及び横枠２５の水密部材取付部２５ｇとの間で圧縮される。このとき、外壁３は、必ずしもキャップ５０及び横枠２５の外壁当接部５２ａ、２５ｆの両方に当接されていなくともよく、いずれか一方に当接されて外壁３が位置決めされていればよい。
【００２９】
そして、建具１０、及び、建具１０の上下に配置された外壁３と、見付け方向に隣接する外壁３が、躯体１に取り付けられた後、建具１０及び建具１０の上下に配置された外壁３と隣接する外壁３との間に成型されたシール材６が嵌め込まれる。そして、サッシ枠２０内に障子３０が取り付けられて、建具１０の施工が終了する。
【００３０】
上記実施形態のサッシ枠２０によれば、キャップ５０または横枠２５に備えられた外壁当接部２５ｆ、５２ａに当接された外壁３に、キャップ５０及び横枠２５が有する水密部材取付部５３ａ、２５ｇに取り付けられた水密部材６０も当接される。このため、外壁３とキャップ５０及び横枠２５との隙間に水密部材６０が設けられるので、外壁３の壁面側から屋内側、例えば躯体１側に雨水等の水が進入することを防止することが可能である。特に、水密部材６０は、キャップ５０から横枠２５に跨って取り付けられるので、キャップ５０と横枠２５との間からの水等の進入を防止することが可能である。このため、外壁３とサッシ枠２０との隙間における高い水密性を確保することが可能である。
【００３１】
また、水密部材６０が跨って取り付けられるキャップ５０の水密部材取付部５３ａと横枠２５の水密部材取付部２５ｇとは、連続する平面をなしているので、取り付けられた水密部材６０が屈曲することなく平坦に備えられるため、より高い水密性を確保することが可能である。
【００３２】
また、水密部材取付部２５ｇ、５３ａに取り付けられた水密部材６０は、外壁３の屋外側の表面より屋内側にて外壁３の厚みの約半分の領域に位置するので、例えば、外壁３面に沿ってほぼ真下に流れ落ちる水等とは接触し難い。このため、水密部材６０が接触する水の量が低減されるので水密部材６０の劣化を抑えることが可能である。
【００３３】
また、取り付けられた水密部材６０と屋外側の空間との間には、キャップ５０側ではキャップ側中間部５２ｂが、また、横枠２５側では横枠側中間部２５ｈが存在するので、キャップ側中間部５２ｂ及び横枠側中間部２５ｈにて水が遮られる。このため、外壁３より内側に水が進入し難いので水密部材６０の劣化を抑えることが可能である。また、キャップ側中間部５２ｂ及び横枠側中間部２５ｈが水密部材６０の屋外側に位置するので、日光も遮られ水密部材６０の劣化をより抑えることが可能である。
【００３４】
さらに、外壁当接部２５ｆ、５２ａである、キャップ側中間部５２ｂ及び横枠側中間部２５ｈの上下方向における端には外壁３が当接され、キャップ側中間部５２ｂ及び横枠側中間部２５ｈの屋内側には水密部材６０が配置されるので、キャップ側中間部５２ｂ及び横枠側中間部２５ｈが水密部材６０と屋外側の空間との間を仕切ることになる。このため、外壁３側から屋内側に水等がより浸入し難くなり水密性が向上すると共に、水密部材６０が直接外気と接しにくくなるため水密部材６０の劣化を抑えることが可能である。
【００３５】
また、サッシ枠２０には障子３０が保持されて建具１０を構成するので、キャップ５０または横枠２５に備えられた外壁当接部２５ｆ、５２ａに当接された外壁３は、サッシ枠２０のキャップ５０及び横枠２５が有する水密部材取付部２５ｇ、５３ａに取り付けられた水密部材６０にも当接される。このため、外壁３とキャップ５０及び横枠２５、すなわちサッシ枠２０との隙間に水密部材６０が設けられるので、外壁３の壁面側から内部、例えば躯体１側に雨水等の水が進入することを防止することが可能な建具１０を構成することが可能である。特に、水密部材６０は、キャップ５０から横枠２５に跨って取り付けられるので、キャップ５０と横枠２５との間からの水等の進入を防止することが可能である。このため、外壁３とサッシ枠２０との隙間における高い水密性を確保することが可能な建具１０を提供することが可能である。
【００３６】
上記実施形態においては、縦枠２１及び横枠２５がいずれも中空部２１ｃ、２５ｃを有する構成としたが、これに限るものではない。例えば、上記縦枠２１及び横枠２５の中空部に相当する部位が、その一側部にスリットを有していたり開放されたりして断面形状が「Ｃ」字状または「コ」字状などをなす縦枠及び横枠であってもよい。この場合には、縦枠の端部に設けられるキャップは、端部のうち少なくとも断面形状が「Ｃ」字状または「コ」字状などをなす領域を形成する枠部を覆うように設けられる。
【００３７】
上記実施形態においては、サッシ枠２０に開閉自在に障子３０が支持された建具１０を例に挙げて説明したが、障子は開閉不能なＦＩＸ窓用の建具であってもよい。
【００３８】
また上記実施形態においては、キャップ５０の水密部材取付部５３ａと横枠２５の水密部材取付部２５ｇとが形成する連続する平面に跨って取り付けられる水密部材６０がサッシ枠２０の上下にいずれも取り付けられている例について説明したが、上記の水密部材はサッシ枠２０の上側または下側のいずれか一方であって、他方は異なるシール方法であってもよい。
【００３９】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４０】
【図１】本実施形態に係る建具の正面図である。
【図２】水密部材取付部を説明するための斜視図である。
【図３】図１における横断面図であるである。
【図４】図１における縦断面図である。
【符号の説明】
【００４１】
３  外壁、１０  建具、２０  サッシ枠、２１  縦枠、
２５  横枠、２５ｆ  外壁当接部、２５ｇ  水密部材取付部、２５ｈ  横枠側中間部、
３０  障子、５０  キャップ、５２ａ  外壁当接部、５２ｂ  キャップ側中間部、
５３ａ  水密部材取付部、６０  水密部材
【図１】
2009243137.tif 000003
【図２】
2009243137.tif 000004
【図３】
2009243137.tif 000005
【図４】
2009243137.tif 000006